(57)【要約】【課題】操作者が気づかないでデータが書き換わってしまうことを防ぎ、重要なデータも保護することが可能な記録再生装置を提供する。【解決手段】ネットワークを介して画像のデータの送信または受信をするネットワークモードと、ネットワークを介さず単体で記録または再生等を行うノーマルモードとを備えて、ネットワークモードとノーマルモードが切り替え可能な記録再生装置のネットワークモード時に、誤記録防止手段の状態が防止状態か非防止状態かに関わらず、記録媒体へデータの記録動作及び記録媒体上のデータの消去動作を禁止する。【選択図】  図１
2005182849.tif 000002
【特許請求の範囲】
【請求項１】
誤記録または誤消去を禁止する状態を示すための電気的または機械的な誤記録防止手段を有して動画または静止画のデータを記録する記録媒体を装着可能で、前記記録媒体にデータを記録する手段及び記録媒体上のデータを再生または消去する手段と、ネットワークを介して画像のデータの送信または受信をするネットワークモードと、ネットワークを介さず単体で記録または再生等を行うノーマルモードとを有し、前記ネットワークモードと前記ノーマルモードが切り替え可能な装置において、
前記ネットワークモード時に、前記誤記録防止手段の状態が防止状態か非防止状態かに関わらず、前記記録媒体へデータの記録動作及び前記記録媒体上のデータの消去動作を禁止することを特徴とする記録再生装置。
【請求項２】
動画または静止画のデータを記録するため記録媒体として、第１の記録媒体のシリアルアクセス媒体、または、第２の記録媒体のランダムアクセス媒体を装着可能で、かつ、前記記録媒体は、誤記録または誤消去を禁止する状態を示すための電気的または機械的な誤記録防止手段を有するとともに、前記第２の記録媒体上の記録領域に対するデータの記録、消去などファイル管理を行うファイル管理手段を有し、
さらに、記録媒体にデータを記録する手段及び記録媒体上のデータを再生または消去する手段と、ネットワークを介して画像のデータの送信または受信をするネットワークモードと、ネットワークに接続せず単体で記録または再生等を行うノーマルモードとを備え、ネットワークモードとノーマルモードを切り替えて使用可能な装置において、
前記ネットワークモード時に、前記第１の記録媒体に対しては前記誤記録防止手段の媒体が誤記録防止手段の状態が防止状態か非防止状態かに関わらず、データの記録動作を禁止し、第２の記録媒体に対しては前記誤記録防止手段状態が防止状態か非防止状態かの状態に関わらず、媒体のデータの消去動作を禁止し、前記誤記録防止手段が非防止状態であれば、データの記録動作を許可することを特徴とする記録再生装置。
【請求項３】
動画または静止画のデータを記録するため記録媒体として、第１の記録媒体のシリアルアクセス媒体、または、第２の記録媒体のランダムアクセス媒体を装着可能で、かつ、前記記憶媒体は、誤記録または誤消去を禁止する状態を示すための、電気的または機械的な誤記録防止手段を有するとともに、前記第２の記録媒体上の記録領域に対するデータの記録、消去などファイル管理を行うファイル管理手段を有し、
前記記録媒体にデータを記録する手段及び記録媒体上のデータを再生または消去する手段と、ネットワークを介して画像のデータの送信または受信を目的とするネットワークモードと、ネットワークに接続せず単体で記録または再生等を行うノーマルモードととを備え、前記ネットワークモードと前記ノーマルモードを切り替えて使用可能な装置において、
前記ネットワークモード時に第１の記録媒体と第２の記録媒体いずれの場合でも、それぞれ前記誤記録防止手段が非防止状態であれば媒体に対する記録、消去動作を許可する第１の動作レベルと、
第１の記録媒体に対しては、誤記録防止手段の状態が防止状態か非防止状態かの状態によらずデータの記録動作を禁止し、第２の媒体に対しては、前記誤記録防止手段が非誤記録防止状態であれば、データの記録動作は許可し、媒体のデータの消去動作を禁止する第２の動作レベルと、
第１の媒体と第２の媒体いずれの場合でも、誤記録防止手段の状態が防止状態か非防止状態かの状態によらず媒体に対する記録、消去動作を禁止する第３の動作レベルとを有し、前記第１、第２及び第３の動作レベルのいずれかを操作者が選択可能であることを特徴とする記録再生装置。
【請求項４】
請求項３記載の記録再生装置において、前記動作レベルの選択はネットワーク上の端末からは切り替えを禁止し、本体操作のみで切り替えが可能なことを特徴とする記録再生装置。
【発明の詳細な説明】
【技術分野】
【０００１】
本発明は、インターネットなどのネットワークにデータ送信可能な記録再生装置に係り、特に、画像をテープ媒体やメモリカード媒体或いはディスク媒体等に記録することが可能なビデオカメラ、デジタルカメラなどでネットワークに接続して使用する装置及びその制御方法に関するものである。
【背景技術】
【０００２】
従来、テープに動画を記録するビデオカメラにおいて、ビデオカメラから直接に、またはビデオカメラからパソコンを介して、インターネットなどネットワーク上の別の端末に画像データを送受信することができるようになっている。
【０００３】
また、ビデオカメラをネットワーク上の別の端末からリモート操作が可能になっており、例えば、図６にはビデオカメラがネットワーク接続された状態が示され、１はビデオカメラ本体、２はパソコンなどの端末、３はネットワーク網、４はネットワーク上の端末である。このネットワークモードでは、端末４から本体１を操作するような状況を想定している。
【発明の開示】
【発明が解決しようとする課題】
【０００４】
ところが、ビデオカメラ等のテープに記録された画像をネットワーク上の端末からの操作によって、別の画像を上書きしてしまったり、消去されてしまうことがある。
【０００５】
そのために通常は、記録媒体のテープのカセット部に誤消去防止のための爪があり、その爪を誤消去防止側にしておくことで、上書きや消去は防止している。
【０００６】
しかし、誤消去防止状態ではリモート操作だけでなく本体での記録、消去もできなくなるので、ユーザは、ネットワークにつなぐときだけ誤消去防止状態にする必要がある。これは大変煩わしいことであり、且つ、誤消去防止状態にすることを忘れたままネットワークに接続してしまうこともあり望ましいものではない。
【０００７】
そこで本発明はこのような課題に鑑みて成されたものであり、操作者が気づかないでデータが書き換わってしまうことを防ぎ、重要なデータも保護することが可能な記録再生装置を提供することを目的とする。
【課題を解決するための手段】
【０００８】
上記課題を解決するために本発明の請求項１は、誤記録または誤消去を禁止する状態を示すための電気的または機械的な誤記録防止手段を有して動画または静止画のデータを記録する記録媒体を装着可能で、前記記録媒体にデータを記録する手段及び記録媒体上のデータを再生または消去する手段と、ネットワークを介して画像のデータの送信または受信をするネットワークモードと、ネットワークを介さず単体で記録または再生等を行うノーマルモードとを有し、前記ネットワークモードと前記ノーマルモードが切り替え可能な装置において、前記ネットワークモード時に前記誤記録防止手段の状態が防止状態か非防止状態かに関わらず、前記記録媒体へデータの記録動作及び前記記録媒体上のデータの消去動作を禁止することを特徴とする。
【０００９】
また、請求項２では、動画または静止画のデータを記録するため記録媒体として、第１の記録媒体のシリアルアクセス媒体、または、第２の記録媒体のランダムアクセス媒体を装着可能で、かつ、前記記録媒体は、誤記録または誤消去を禁止する状態を示すための電気的または機械的な誤記録防止手段を有するとともに、前記第２の記録媒体上の記録領域に対するデータの記録、消去などファイル管理を行うファイル管理手段を有し、さらに、記録媒体にデータを記録する手段及び記録媒体上のデータを再生または消去する手段と、ネットワークを介して画像のデータの送信または受信をするネットワークモードと、ネットワークに接続せず単体で記録または再生等を行うノーマルモードとを備え、ネットワークモードとノーマルモードを切り替えて使用可能な装置において、前記ネットワークモード時に、前記第１の記録媒体に対しては前記誤記録防止手段の媒体が誤記録防止手段の状態が防止状態か非防止状態かに関わらず、データの記録動作を禁止し、第２の記録媒体に対しては前記誤記録防止手段状態が防止状態か非防止状態かの状態に関わらず、媒体のデータの消去動作を禁止し、前記誤記録防止手段が非防止状態であれば、データの記録動作を許可することを特徴とする。
【００１０】
また、請求項３では、動画または静止画のデータを記録するため記録媒体として、第１の記録媒体のシリアルアクセス媒体、または、第２の記録媒体のランダムアクセス媒体を装着可能で、かつ、前記記憶媒体は、誤記録または誤消去を禁止する状態を示すための、電気的または機械的な誤記録防止手段を有するとともに、前記第２の記録媒体上の記録領域に対するデータの記録、消去などファイル管理を行うファイル管理手段を有し、前記記録媒体にデータを記録する手段及び記録媒体上のデータを再生または消去する手段と、ネットワークを介して画像のデータの送信または受信を目的とするネットワークモードと、ネットワークに接続せず単体で記録または再生等を行うノーマルモードととを備え、前記ネットワークモードと前記ノーマルモードを切り替えて使用可能な装置において、前記ネットワークモード時に第１の記録媒体と第２の記録媒体いずれの場合でも、それぞれ前記誤記録防止手段が非防止状態であれば媒体に対する記録、消去動作を許可する第１の動作レベルと、第１の記録媒体に対しては、誤記録防止手段の状態が防止状態か非防止状態かの状態によらずデータの記録動作を禁止し、第２の媒体に対しては、前記誤記録防止手段が非誤記録防止状態であれば、データの記録動作は許可し、媒体のデータの消去動作を禁止する第２の動作レベルと、第１の媒体と第２の媒体いずれの場合でも、誤記録防止手段の状態が防止状態か非防止状態かの状態によらず媒体に対する記録、消去動作を禁止する第３の動作レベルとを有し、前記第１、第２及び第３の動作レベルのいずれかを操作者が選択可能であることを特徴とする。
【００１１】
また、請求項４では、請求項３記載の記録再生装置において、前記動作レベルの選択はネットワーク上の端末からは切り替えを禁止し、本体操作のみで切り替えが可能なことを特徴とする。
【発明の効果】
【００１２】
本発明の請求項１によれば、ネットワーク接続時は、媒体上のデータに対し記録及び消去が禁止されるので、ネットワーク上の端末からの操作によって、操作者が気づかないでデータが書き換わってしまうことを防ぎ、重要なデータも保護することが可能になる
また、請求項２によれば、ネットワークモード時において、記録媒体がシリアル記録媒体かランダム記録媒体かによって、媒体へのデータの記録、消去の動作制限を変え、シリアル記録媒体では、新たなデータを重要なデータ上に重ね書きされてしまい、重要なデータを失う危険があるが、メモリカードなどのランダム記録媒体では、その危険は少ないという記録方式の違いに配慮することが可能となり、ランダム記録媒体では必要以上な制限を行わず、媒体の利便性を損なうことなく、データの保護を可能にしている。
【００１３】
また、請求項３によれば、ネットワークモード時における記録、消去の動作制限の度合いにレベルを設けたこと、つまりデータを保護することよりネットワークから自由に操作したい場合には制限を外すことができる。さらに、初期状態ではデータ保護を優先した動作とすることで、たとえば操作の初心者が誤って重要なデータを失うことがないがない。
【００１４】
よって、本体の使用目的や操作者の操作に対する習熟度に応じて、使い勝手を損なうことを最小限に媒体上のデータを保護することが可能になった。
【００１５】
さらに、請求項４によれば、請求項３において、レベル設定をネットワーク上からの操作はできないようにしたため、見知らぬ第三者からレベルを変更されて本体上のデータを操作されてします危険を防ぐことが可能となった。
【発明を実施するための最良の形態】
【００１６】
以下に本発明の実施例について説明する。
【実施例１】
【００１７】
以下、本発明の好適な第１の実施例を図面に基づいて説明する。
【００１８】
ここでは、テープ媒体とメモリカード媒体に対して記録、再生または消去が可能なデジタルビデオカメラにおいて本発明を実施した例について以下説明する。
【００１９】
図１は、該デジタルビデオカメラの構成を示す図である。図において、破線で囲んだ部分１００は画像処理装置である。
【００２０】
１０は撮影レンズ、１２は絞りやシャッタなどの露光量制御部材、１４は光学像を電気信号に変換する撮像素子、１６は撮像素子１４のアナログ信号出力をディジタル信号に変換するＡ／Ｄ変換器、１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００２１】
２０は画像処理回路であり、 Ａ／Ｄ変換器１６からのデータ或いはメモリ制御回路２２からのデータに対して所定の画素補間処理や色変換処理を行う。また、画像データを下に露光量制御や測距制御のための演算処理などを行っている。
【００２２】
２２はデータフロー制御回路であり、Ａ／Ｄ変換器１６、タイミング発生回路１８、画像処理回路２０、画像表示メモリ２４、Ｄ／Ａ変換器２６、メモリ３０、圧縮・伸長回路３２などの間でデータの入出力を制御する。
【００２３】
撮影記録時にはＡ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２４】
２４は画像表示メモリ、２６はＤ／Ａ変換器、２８はTFT LCD表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。  
【００２５】
３０は撮影した静止画像や動画像を格納するためのメモリであり、所定枚数の静止画像や所定時間の動画像を処理するために一時的に格納するのに十分な記憶量を備えている。また、メモリ３０はシステム制御回路５０の作業領域としても使用することが可能である。
【００２６】
３２は画像データを圧縮伸長する圧縮・伸長回路であり、メモリ３０に格納された画像を読み込んで圧縮処理或いは伸長処理を行い、処理を終えたデータをメモリ３０に書き込む。
【００２７】
３１はテープへ記録するための処理回路で、例えばデジタルビデオのフォーマット形式にあうように信号を変換したら情報を付加したりする。
【００２８】
３３はテープなどの記録媒体で、不図示のテープの走行やテープドラムの回転を制御する制御駆動手段によって適切に制御され、画像データの記録、再生が行われる。
【００２９】
４０は絞りやシャッターなど露光量制御部材１２を制御する露光制御手段であり、４２は撮影レンズ１０のフォーカシングを制御する測距制御手段、４４は撮影レンズ１０のズーミングを制御するズーム制御手段である。
【００３０】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３１】
５０は画像処理装置１００全体を制御するシステム制御回路、５２はシステム制御回路５０の動作用の定数、変数、プログラム等を記憶するFLASH ROMなどのメモリである。
【００３２】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００３３】
５６は各種調整値などを記憶しておくための電気的に消去・記録可能な不揮発性メモリであり、例えばEEPROM等が用いられる。
【００３４】
６０、６２、６４、及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３５】
６０はモード設定スイッチ部材で、電源オフ、撮影記録モード、再生モード、消去モードやネットワーク接続モードや、媒体の選択等の各機能モードを切り替え設定することが出来る。
【００３６】
モード設定スイッチ６０は、図２に示すように、ネットワークに接続するか否かを選択するものであるネットワークモード設定スイッチ６０３、撮影記録モード、電源オフ、再生モード、消去モードを切り変えるための動作モード設定用スライドスイッチ６０４、カードかテープを選択するためのものである記録媒体選択スライドスイッチ６０５が設けられている。
【００３７】
６２は静止画撮影トリガースイッチ、６４は動画撮影トリガースイッチ、７０は各種ボタンやタッチパネル等からなる操作部で、ズームスイッチ、メニューボタン、セットボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン等がある。
【００３８】
８０は電源制御手段で、ＤＣ−ＤＣコンバータ、通電するブロックを切り替えるスイッチ回路等により構成されており、電池検知手段８７を介して電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。８２、８４はコネクタである。８６はアルカリマンガン電池など充電できない一時電池や、リチウムイオン電池など充電可能な二次電池、さらにはＡＣ電源をＤＣ電源に変換して本体に直流電源として供給するＡＣ−ＤＣアダプター等からなる種々の種類の電源手段である。
【００３９】
８７は電池検知手段であり、種類判別を判断する。判別方法としては、例えば電池の形状を機械的に判別しても良い。さらには所定量の電流を流した時と流さないときの電圧差から電池の内部抵抗を測定し、それをもって電池の種類や消耗度を判断することができる。さらには電池自体に通信手段を有し、電池の種類や消耗度などを通信手段によって通知するものでも良い。
【００４０】
９０はメモリカードなどの記録媒体とのインターフェース、９２はメモリカード等の記録媒体と接続を行うコネクタ、９８はコネクタ９２に記録媒体２００が装着されているか否かを検知する記録媒体着脱検知手段である。
【００４１】
９９はコネクタ９２に装着された記録媒体の誤消去防止爪の状態を検知する誤消去防止爪検知手段であり、１１１はテープ記録媒体３３が装着されているか否かを検知する記録媒体着脱検知手段、１１２はテープ記録媒体３３に装着された記録媒体の誤消去防止爪の状態を検知する誤消去防止爪検知手段である。
【００４２】
１１０はＵＳＢ通信制御部、１１２はＵＳＢ端子であり、通信手段１１０により画像処理装置１００を他のＵＳＢ機器と不図示のケーブルで接続するコネクタある。
【００４３】
２００はメモリカード等の交換可能な記録媒体または各種ＩＯカードで、例えば半導体メモリや磁気ディスク等から構成されるメモリカードを想定している。また、インターフェース２０４を介して装置１００と接続を行うコネクタ２０６を備えている。
【００４４】
次に、テープのようなシリアルアクセス媒体とカードやディスクのようなランダムアクセス媒体での記録方法の違いについて図３、４を参照して説明する。
【００４５】
図３はテープ媒体のようなシリアルアクセス記録媒体の記録状態を示す。テープには連続的に動画像が記録されていくが、仮に撮影時に複数のシーン毎にカットして３回に分けて追加して記録した場合の状態を考える。図３（ａ）で第１のカットシーンがテープの領域Ｒ１に記録されている。同様に第２、３のカットシーンはそれぞれ領域Ｒ２,Ｒ３に記録されている。領域Ｒ４は空き領域で未記録状態である。
【００４６】
ところでテープ媒体の場合は、新たに記録を追加する場合、テープ上で各カットシーンが重ならないようにテープを送って記録していくが、既に記録した領域に上書きをすることも可能である。つまり記録後テープを巻き戻すなどし、図３（ｂ）のようにＲ２の途中まで再生したところで記録を開始すればＲ５の領域に記録される。その場合は、これまでに記録されていた図３（ａ）のＲ２領域の後半部分と領域Ｒ３部分は上書きされる。
【００４７】
一方、メモリカードのようなランダムアクセス可能な媒体の場合の記録方式を図４に示す。
【００４８】
図４はメモリ媒体上の記録領域をメモリマップのイメージで模式的に示したものである。先のテープ媒体の場合の図３ではテープ媒体の物理的形状と記録領域が一致するイメージであるが、カードの場合はメモリ上のアドレスで記録領域が管理されるので、実際のメモリ上の物理的記録位置を示すものではない。実際はアドレスそのものではなく、所定のデータ量に相当するエリアを論理的に設けセクタやクラスタなどと称す概念で制御することが多い。
【００４９】
ここでは説明を単純化するために領域を０から１００アドレス毎に分割している。
【００５０】
まず図４（a）で符号”Ｍ”を付与した領域Ｍ（アドレス０から１００）は、管理領域でメモリ上どの領域にデータが記録されているかの情報を格納している。符号”Ｅ”を付与した領域Ｅ１,Ｅ２,Ｅ３,Ｅ４は未記録領域を示している。符号”Ｒ”を付与した領域Ｒ１、Ｒ２は記録済領域を示している。
【００５１】
先のテープ媒体と同様に第１のカットシーンを記録する場合、空き領域の領域Ｅ１、Ｅ２上に分割されて記録される。これを図４（ｂ）に示す。ここでは新たに記録された領域はそれぞれ領域Ｒ３,Ｒ４と呼ぶことにしておく。つまりＥ１、Ｅ２の未記録領域はＥ３,Ｒ４の記録済み領域となる。
【００５２】
このようにメモリ媒体ではメモリマップ上ランダムな位置に記録できるので、空き領域を探して記録することが容易なので“上書き”という状態にならずに記録することができる。また記録したデータが不要になった場合は、その領域だけ消去できる。
【００５３】
例えば、図４（ｂ）のＲ１の領域に記録されているデータが不要になれば、その部分だけ消去するか、あるいは管理領域Ｍに不要領域の場所を登録することで論理的に記録可能領域とすることができる。つまり消去後は図４（ｃ）のようにアドレス２００−３００の領域は未記録領域（符号Ｅ５）として管理される。
【００５４】
実際にはランダム記録が可能な媒体（半導体メモリ、ハードディスク、光ディスク）では、上記で説明したような単純な方法ではないが説明のために概略を示した。
【００５５】
さらにランダム記録可能な媒体では、その他にも種々のデータ管理方法があるが本発明の実施明にあたっては、詳細な違いには関係なく実現できるので管理方法の詳細は省く。
【００５６】
次に、本体の制御のうち動作の判定及び判定後の動作の実行シーケンスを図５のフローチャートに基づいて説明する。なお、誤記録防止手段は、一般的に誤消去防止フラグ、ライトプロテクトフラグ、誤消去防止爪、ライトプロテクトキーなどを称している。
【００５７】
ここでは操作者が設定した動作モードを判別し、そのモード及び記録媒体の種類、記録媒体の誤消去防止状態に応じて適切に動作制御される旨を説明する。
【００５８】
具体的にはネットワークモードでは、媒体が非誤消去防止状態であっても、テープ媒体の時は記録、消去を禁止し、カード媒体の場合は消去を禁止する。
【００５９】
また予め、操作者は、本体動作モードを操作部材によって設定しているものとする。すなわち、本体動作はネットワークモードかＮＯＲＭＡＬモードかをスイッチ６０３（図２参照）で、記録（ＲＥＣ）、再生（ＰＡＬＡＹ）、消去（ＤＥＬ）かをスイッチ６０４で、さらに動作対象とする媒体はカードかテープかをスイッチ６０５で所望の状態に設定するものとする。また、記録や消去のための操作は本体及びネットワークからの指示により行われるが、ここではノーマルモードにおいては本体での操作が可能でネットワークからの操作は制限され、ネットワークモードにおいては本体での操作は制限され、ネットワークからの操作が可能とする。
【００６０】
まず、Ｓ１００では、この各種スイッチの状態及び、媒体の誤消去防止状態を読み込む。そしてＳ１０１では、各種スイッチの状態を図８に示す表２に従って、適切な動作を決定する。表２では各スイッチ及び媒体の状態２２通りが考えられる。
【００６１】
ここでは説明の便宜上、それぞれの状態に番号１から２２を付与した。１から２２のスイッチの状態に対応した動作及び表示を表の右側に示している。この表に従って制御部はテーブル参照形式でそれぞれの動作に以降する。
【００６２】
つまり、状態１８、２１はカード記録動作としてＳ１０２へ動作が移行し、状態１、２、３、４はカード再生動作としてＳ１０３へ動作が移行する。また、状態２０はカード消去動作としてＳ１０４へ動作が移行し、状態２２はテープ記録動作としてＳ１０５へ動作が移行する。
【００６３】
状態５、６、７、８はテープ再生動作としてＳ１０６へ動作が移行し、そして連番で９から１７と１９はそれぞれに対応するメッセージを表示部２８に表示する（Ｓ１０７）。
【００６４】
状態９、１１、１３、１５、１７、１９の場合は、ネットワーク上の端末４にもこのメッセージを送ることにより、ネットワーク上の端末側４でも、本体がどういう状態なのかを判断できるようにしている。
【００６５】
そしてＳ１０２、Ｓ１０３、Ｓ１０４、Ｓ１０５、Ｓ１０６、Ｓ１０７のいずれかの動作実行後は再び最初のＡに戻る。
【００６６】
したがって、ネットワークモードかノーマルモードか、媒体がカードかテープかによって、媒体が非誤消去防止のときの動作が異なるよう、本体動作の判定及び判定されている。具体的にはネットワークモードでは、記録媒体が非誤消去防止状態でも、テープ媒体の時は記録、消去を禁止し、カード媒体の場合は消去を禁止しているとう特徴がある。
【実施例２】
【００６７】
続いて、以下、本発明の好適な第２の実施例を説明する。
【００６８】
上記実施例１では、ネットワークモードでは、記録媒体が非誤消去防止状態でも、テープ媒体の時は記録、消去を禁止し、カード媒体の場合は消去を禁止している。
【００６９】
しかし、媒体によって動作が違うことが一般の操作者にはわかりにくいという懸念がある。そこでこの実施例２は、媒体への記録と消去に関してネットワークから一切禁止する設定が可能なように構成する。
【００７０】
つまり、実施例２は、記録及び消去に禁止制御に関し、動作レベルを設けてそれを操作者が必要に応じて選択できるようする。
【００７１】
例えば、レベル１では、ネットワークモードでは、カードかテープかなど媒体によらず、常に記録、消去禁止する。
【００７２】
レベル２では、上記第１の実施例と同様にネットワークモードでは媒体によって扱いを変える。つまり、媒体がテープの時は誤記録防止手段の状態が防止状態か非防止状態かに関わらず記録禁止し、媒体がカードの時は媒体が誤消去防止状態の場合は消去禁止する。
【００７３】
レベル３では、ネットワークモードにおいての禁止制限をはずし、非ネットワークの時と同様に非誤消去防止状態では記録及び消去を可能とする。つまり媒体がテープの時は媒体が非誤消去防止状態なら記録可能とし、媒体がカードの時は媒体が誤消去防止状態の場合は記録、消去可能とする。
【００７４】
尚、レベル１で媒体を保護するようにしても、ネットワーク上の第３者から、このレベル２や３に変更をされてしまっては、結果的に記録媒体を消去されてしまう可能性があるので、それを防ぐためにネットワーク上からの操作では、このレベル変更はできないようにしておく必要が考えられる。
【００７５】
そこで例えばレベル変更のための操作は、本体の操作部材のみで可能としておけば良い。
【００７６】
そして、製品の出荷状態及び電源投入直後やリセット後ではレベル１を初期状態にしておく。このようにすれば、ネットワークからは一切記録消去を禁止されるので、媒体の保護という観点から一番安全で、操作者にとってわかりやすい。一方で本体動作を深く理解している操作者やネットワーク上から操作して操作者はレベル２に設定すれば良い。
【００７７】
レベルの設定方法は例えば設定メニュー画面を本体に表示し、操作部材によってレベルを選択すれば良い。設定されたレベルは記憶しておき、図５のテーブル参照においてレベル毎にそれぞれレベル１用の図７に示すテーブル表１、レベル２用の図８に示すテーブル表２、レベル３用の図９に示すテーブル表３に従って動作を決定すればよい。
【実施例３】
【００７８】
以下、本発明の好適な第３の実施例を説明する。
【００７９】
本実施例は、ネットワークモードでも本体の操作では記録、消去が可能としても良いようにする実施形態である。
【００８０】
上記実施例のネットワークモードでは、ネットワークからの動作命令か本体操作部材に基づく動作命令かは区別していない。
【００８１】
しかし、ネットワークモードでもネットワークからの操作に関しては制限を設け、本体操作部材に基づく操作に関しては、その動作を受けるようにしても良い。
【００８２】
制御部の全体動作としては、命令が本体操作に基づく動作命令かネットワークからの動作命令かは判断可能であるので、この判断によって動作させれば良い。
【００８３】
これも設定画面で操作が設定すればよい。前記動作設定画面と同様なので説明は省く。
【００８４】
なお、上記実施例では、記録領域が少ない場合などは記録を禁止するなど、通常の制御に関する説明はしていないが、実際の実施にあたっては該通常の制御は当然なされるべきもので、また本発明はその制御動作を妨げるものではない。
【００８５】
さらに、上記実施例では、記録媒体としてテープとカードで説明したが、カード以外では管理情報を有す記録管理方式をとっている媒体ならディスク媒体でも良い。
【００８６】
また、上記実施例ではカメラ本体は端末２を介してネットワークに接続する形態をとっているが、本体にネットワーク接続機能を有すように構成した場合、直接ネットワークに接続するようにしてもよい。
【００８７】
また、ネットワーク接続のための物理的手段は問わない。例えばＵＳＢ、IEEE1394、イーサーネットなどの有線接続または、IEEE802.11系、Bluetoothなどの無線接続でも良い。
【００８８】
また、誤記録防止手段は機械的スイッチでなく、媒体内の記録領域中の管理領域またはメモリレジスタなどに、記録または消去を禁止することを示すフラグのようなものを記憶するようなものでも良い。
【図面の簡単な説明】
【００８９】
【図１】本発明に係るデジタルビデオカメラの構成図である。
【図２】本発明に係るモード設定スイッチ部材６０の詳細説明図である。
【図３】シリアルアクセス記録媒体の記録状態を示す図である。
【図４】ランダムアクセス可能な媒体の場合の記録方式を示す図である。
【図５】動作の実行シーケンスを示すフローチャートである。
【図６】本体とネットワーク及びネットワーク上の端末の接続関係を示す構成図である。
【図７】動作レベルのレベル１を示す表１である。
【図８】動作レベルのレベル２を示す表２である。
【図９】動作レベルのレベル３を示す表３である。
【符号の説明】
【００９０】
１０          撮影レンズ
１２          露光量制御部材
１４          撮像素子
１６          Ａ／Ｄ変換器
１８          タイミング発生回路
２０          画像処理回路
２２          データフロー制御回路
２４          画像表示メモリ
２６          Ｄ／Ａ変換器
２８          TFT LCD表示部
３０          メモリ
３２          圧縮・伸長回路
３１          処理回路
３３          記録媒体
４０          露光制御手段
４２          測距制御手段
４４          ズーム制御手段
５０          システム制御回路
５２          メモリ
５４          表示部
５６          不揮発性メモリ
６０、６２    操作手段
６４、７０    操作手段
６０          モード設定スイッチ部材
６２          静止画撮影トリガースイッチ
６４          動画撮影トリガースイッチ
７０          操作部
８０          電源制御手段
８２、８４    コネクタ
８６          電源手段
８７          電池検知手段
９０          インターフェース
９２          コネクタ
９８          記録媒体着脱検知手段
９９          誤消去防止爪検知手段
１１１        記録媒体着脱検知手段
１１２        誤消去防止爪検知手段
１１０        ＵＳＢ通信制御部
１１２        ＵＳＢ端子
１００        画像処理装置
２００        記録媒体または各種ＩＯカード
６０３        ネットワークモード設定スイッチ
６０４        動作モード設定用スライドスイッチ
６０５        記録媒体選択スライドスイッチ
【図１】
2005182849.tif 000003
【図２】
2005182849.tif 000004
【図３】
2005182849.tif 000005
【図４】
2005182849.tif 000006
【図５】
2005182849.tif 000007
【図６】
2005182849.tif 000008
【図７】
2005182849.tif 000009
【図８】
2005182849.tif 000010
【図９】
2005182849.tif 000011